(57)【要約】【課題】  導光体の内部での光の利用効率を向上させることができる照明装置を提供すること。【解決手段】  前面から光を放出して前方へ面状の照明を行う車両メータ装置１の照明装置において、両端の端部８１から導入した光を湾曲部８２の内外周の側壁で略周回方向に導光して、全体が一様に光を放出する導光体８と、光源７を有し、導光体８は、湾曲部８２の外周の側壁の一部又は全部を、前方への面状の照明範囲外となる外周方向に移動させた相似形状で形成した外周相似側壁部８２１を備えた。【選択図】        図１
2010182595.tif 000002
【特許請求の範囲】
【請求項１】
前面から光を放出して前方へ面状の照明を行う照明装置において、
両端の間を略周回方向に湾曲させた平面形状に設けられ、両端部から導入した光を湾曲部の内外周の側壁で略周回方向に導光して、全体が一様に光を放出する導光体と、
導光体の両端部へ向かって光を発する光源と、
を有し、
前記導光体は、前記湾曲部の外周の側壁の一部又は全部を、前方への面状の照明範囲外となる外周方向に移動させた相似形状で形成した外周相似側壁部を備えた、
ことを特徴とする照明装置。
【請求項２】
請求項１に記載の照明装置において、
前記外周相似側壁部は、前記導光体の前記湾曲部で、両端部に近い側から徐々に外周方向に膨らむ湾曲形状に沿って連続した配置の側壁部分を形成した、
ことを特徴とする照明装置。
【請求項３】
請求項１に記載の照明装置において、
前記導光体は、前記湾曲部の周回方向の途中の一部を外周方向に張り出させ、張り出させた部分の外周側壁を前記外周相似側壁部とした、
ことを特徴とする照明装置。
【請求項４】
請求項３に記載の照明装置において、
前記導光体は、前記湾曲部の外周側壁と外周方向に張り出させた部分との相対する面積より小さい面積で、前記湾曲部の外周側壁と外周方向に張り出させた部分とを接続する接続部を備えた、
ことを特徴とする照明装置。
【請求項５】
請求項１〜請求項４のいずれか１項に記載の照明装置において、
前記導光体は、後面で且つ前記外周相似側壁部近傍の照明範囲外の部分に設けられた、前記照明装置への取付用の位置決めピンを備えた、
ことを特徴とする照明装置。
【請求項６】
請求項１〜請求項５のいずれか１項に記載の照明装置において、
前記導光体は、後面で且つ前記外周相似側壁部近傍の照明範囲外の部分に設けられた、前記照明装置への固定用の取付部を備えた、
ことを特徴とする照明装置。
【発明の詳細な説明】
【技術分野】
【０００１】
本発明は、面状に発光を行う照明装置の技術分野に属し、特に車両の計器の照明装置に有用な技術である。
【背景技術】
【０００２】
従来では、円弧形状の導光体の両端から発光ダイオードの光を入射させ、導光体の大径側の側面に光伝播用反射面を複数の平面により構成し、導光体内での光の軌跡の通過範囲を広くして、発光照度の斑をなくしている。
【先行技術文献】
【特許文献】
【０００３】
【特許文献１】特開２００７−１３９７９１号公報
【発明の概要】
【発明が解決しようとする課題】
【０００４】
従来にあっては、導光体の内部での光の利用効率が不十分であった。
【０００５】
本発明は、上記問題点に着目してなされたもので、その目的とするところは、導光体の内部での光の利用効率を向上させることができる照明装置を提供することにある。
【課題を解決するための手段】
【０００６】
上記目的を達成するため、本発明では、前面から光を放出して前方へ面状の照明を行う照明装置において、両端の間を略周回方向に湾曲させた平面形状に設けられ、両端部から導入した光を湾曲部の内外周の側壁で略周回方向に導光して、全体が一様に光を放出する導光体と、導光体の両端部へ向かって光を発する光源と、を有し、前記導光体は、前記湾曲部の外周の側壁の一部又は全部を、前方への面状の照明範囲外となる外周方向に移動させた相似形状で形成した外周相似側壁部を備えた、ことを特徴とする。
【発明の効果】
【０００７】
よって、本発明にあっては、導光体の内部での光の利用効率を向上させることができる。
【図面の簡単な説明】
【０００８】
【図１】実施例１の照明装置を有する車両メータ装置の断面図である。
【図２】実施例１の車両メータ装置の文字板の説明図である。
【図３】実施例１の車両メータ装置のケースの平面図である。
【図４】実施例１の車両メータ装置の導光体の平面図である。
【図５】実施例１の車両メータ装置の導光体の一部拡大斜視図である。
【図６】実施例１の車両メータ装置の導光体及びケースの説明斜視図である。
【図７】導光体の平面説明図である。
【図８】導光体の一部拡大斜視説明図である。
【図９】図７及び図８の導光体の導光状態の説明図である。
【図１０】導光体の一部拡大平面図である。
【図１１】実施例２の車両メータ装置の導光体の平面説明図である。
【図１２】図１１の一部拡大底面説明図である。
【図１３】実施例２の車両メータ装置の導光体の一部拡大斜視説明図である。
【図１４】実施例２の車両メータ装置のケースの平面説明図である。
【図１５】実施例２の車両メータ装置の導光体における導光状態の底面説明図である。
【発明を実施するための形態】
【０００９】
以下、本発明の照明装置を実現する実施の形態を、請求項１，２，５，６に係る発明に対応する実施例１と、請求項１，３〜６に係る発明に対応する実施例２に基づいて説明する。
【実施例１】
【００１０】
まず、構成を説明する。
実施例１では、照明装置を有する車両メータ装置を例として説明する。
図１は実施例１の照明装置を有する車両メータ装置の断面図である。
車両メータ装置１は、文字板２、ケース３、基板４、指針軸５、指針軸駆動部６、光源７、導光体８、指針９を備えている。
【００１１】
文字板２は、指針軸５に対する目盛が円周状に配置され、その目盛と文字などを表示する意匠部分は透光性を備えるようにし、それ以外の背景となる意匠部分は透光性を備えないようにする。具体的な例として、透光性のある部分を透明な部材のままとし、透光性のない部分を透明な部材に黒の塗装を施したものを挙げておく。
なお、文字や目盛の配列な、図１における指針軸５を中心に所定角度範囲の円周状に配置したものとする。
【００１２】
ケース３は、基板４と文字板２を所定の間隔に保持し、導光体８を文字板２に近接させた位置に保持する構造部材である。ケース３の詳細構造については、後述する。
基板４は、文字板２と距離を設けて並行に配置されるものであり、光源７の駆動回路が実装され、また、指針軸５を駆動させる指針軸駆動部６、及び駆動に必要な回路部分が実装される。
【００１３】
指針軸５は、車両メータ装置の指針の軸であり、指針軸駆動部６により駆動され、所定の回転角度変位を行う。この指針軸５の変位により、指針９が文字板２の目盛を指し示し、例えば、車速やエンジン回転数を表示する。
光源７は、具体的にはＬＥＤを例とし、導光体８の両端部分と重なる位置で基板４に実装される。
導光体８は、平面形状が略円弧状、言い換えると略Ｃ字形状または略馬蹄形状で、断面形状を図１に示す矩形とする形状である。また、上下面を平面とする。
そして、略円弧状の両端を下方へ湾曲させる形状である。
【００１４】
指針９は、指針軸５に基端部を取り付けられ、車両メータ装置１の指針として、回転して目盛を指し示す動きを行うものである。指針９は導光部材としてもよい。その場合には、基板４に光源７と別の光源を設けるようにし、その光源により指針９の基端部へ投光し、内部の導光により先端が光るようにしてもよい。
【００１５】
図２は実施例１の車両メータ装置の文字板の説明図である。
実施例１の文字板２は、図２に示すように、所定角度範囲の円弧に対して、円周状に目盛部２１が配置され、目盛部２１に対応させて、目盛数字部２２が配置されている。目盛部２１及び目盛数字部２２の例を図２に示すが、車種、仕向地などによりその意匠は変更すればよく、所定角度範囲が概ね維持されればよい。
目盛部２１及び目盛数字部２２以外の文字板２の部分には、インジケータやオドメータ等、他の表示及びその装置を設けるようにしてもよい。
【００１６】
図３は実施例１の車両メータ装置のケースの平面図である。
ケース３は、導光体収容部３１、導光体反射面３２、支持部３３、中央部３４、位置決め孔３５、固定用取付部３６を備えている。
そして、ケース３は、例えば白色の樹脂を成形したものである。
導光体収容部３１は、導光体８の文字板側を開口し、基板側の面と側面を支持する面を設け、全体を凹部にしたものである。
導光体収容部３１において、導光体８の両端の基板側へ湾曲させた部分に対応する位置には、基板側へ貫通した貫通部３１１を設ける。そして、この貫通部３１１が設けられた導光体収容部３１の平面が、導光体８の内部を進む光を文字板側へ白色にて反射する反射面となる。これを導光体反射面３２とする。
【００１７】
導光体収容部３１において、導光体８の側面に対向する部分は、基板４に接するか、近接した位置まで伸長させた構造にし、これを支持部３３とする。少なくとも、基板４の一部は支持部３３に当接させ、ネジ等により基板４とケース３を固定する。この支持部３３の構造により、基板４と文字板２の間隔は所定の間隔に維持されることになる。
中央部３４は、支持部３３と同様に、基板４と文字板２の間隔を所定の間隔にする部分であり、内側に指針軸５を貫通させ、且つ指針９の基端部分を回転自在に収容する貫通穴部３４１を備えている。
【００１８】
位置決め孔３５は、導光体８の位置決めを行うために設けられた孔部であり、導光体収容部３１の平面部分で、外周側に、基板４へ伸長するよう設けられる。言い換えると、導光体収容部３１の平面部分で、文字板２方向への照明に寄与しない照明範囲外の外周側に設けられる。
固定用取付部３６は、導光体８の固定を行うために設けられた部分で、導光体収容部３１の外周側の側壁から内部へ突出した爪部分である。
【００１９】
図４は実施例１の車両メータ装置の導光体の平面図である。図５は実施例１の車両メータ装置の導光体の一部拡大斜視図である。図６は実施例１の車両メータ装置の導光体及びケースの説明斜視図である。なお、図６における導光体８には、形状をわかりやすくするための補助線を施す。
導光体８は、例えば透明は樹脂製で、光を内部に通過させる材質で形成されている。
そして、導光体８は、端部８１、湾曲部８２、位置決めピン８３、固定用受け部８４を備えている。
端部８１は、図４に示すように、導光体８の両端となる部分であり、全体が所定の厚さの平板形状であるのに対して、端部８１では、この平板形状から基板側へ向かって湾曲させた形状とし、その端面を基板４に実装した光源７に接近させて対向させる構成にしたものである。なお、端部８１の下方への湾曲は、図６に示すように９０度より低い所定角度の湾曲にする。この角度は、光源７から入光した光を外部へ透過させず、内部反射により文字板側の湾曲面で直角方向に導光するよう設定する。
【００２０】
湾曲部８２は、図４に示すように、導光体８で略円弧状、つまり略Ｃ形状に湾曲させた部分である。そして、図４に照明範囲を示すライン８２ａで示すように、湾曲部８２の外周側を、照明範囲外へ拡大した形状にする。その際、湾曲部８２の外周側の側壁は、中央が最も径大な位置となるよう徐々に外周方向へ移動させた位置となるようにし、外周相似側壁部８２１とする。
【００２１】
位置決めピン８３は、導光体８をケース３へ取り付ける際の位置決めを行うために設けられる係合部分である。
位置決めピン８３は、導光体８の基板側の平面から基板方向へ向かって突出したピン形状である。そして、その位置は、図４に示すように固定用受け部８４から左右方向へずらした位置で、且つ図４の照明範囲を示すライン８２ａより外周側の照明範囲外の位置とする。
【００２２】
固定用受け部８４は、ケース３の固定用取付部３６と係合して、導光体８をケース３へ固定する部分である。
固定用受け部８４は、導光体８の湾曲した部分の中央位置で、導光体８の基板側の平面から基板方向に突出し、さらに外周方向に突出させるよう設けられたものである。そして、固定用受け部８４と導光体８の基板側の平面との接続している部分の位置は、図４の照明範囲を示すライン８２ａより外周側の照明範囲外の位置とする。
実施例１では、図５に示すように、位置決めピン８３及び固定用受け部８４は、外周相似側壁部８２１との接続部分を有しない構成で、これにより外周相似側壁部８２１の内部反射状態は、位置決めピン８３及び固定用受け部８４を設けたことによる影響を受けない構成である。
【００２３】
作用を説明する。
[導光体の光の利用効率の向上]
実施例１の車両メータ装置１において、図２に示す目盛部２１及び目盛数字部２２の照明を行うには、光源７を点灯させる。
光源７が発する光は、ケース３の導光体収容部３１の貫通部３１１から基板側へ突出している導光体８の端部８１の端面から内部へ入光する。実施例１では、導光体８の両端の端部８１のそれぞれに２つの光源７が配置され、導光体８の両端から内部へ入光する。
【００２４】
導光体８の内部へ入光した光は、導光体８の端部８１の湾曲した部分を内部反射により通過して、平面形状の湾曲部８２へ導光される。そして、さらに湾曲部８２の内部反射により、図４に符号１０１で示すように導光されることで、湾曲部８２の中央まで全体的に光が導光されることにより、均一に全体が前方を照明する。湾曲部８２での内部反射において、光を湾曲形状に導光するのは、外周相似側壁部８２１と内周側の側壁との間で、光が反射を繰り返すことによるものである。
【００２５】
なお、導光体８から外部へ出る光のうち、文字板側へ出る光が文字板２を照明する。導光体８の内周側側方、外周側側方の外部へ出た光は、導光体収容部３１の白色面で反射され、導光体８へ再度入光する。また、導光体８の基板側の外部へ出た光も、導光体収容部３１の白色面である導光体反射面３２で反射され、導光体８へ再度入光する。そして、導光体８の内部の光のうち、文字板側へ向かったものが、目盛部２１及び目盛数字部２２を透過することにより、目盛部２１及び目盛数字部２２が輝度高く照明された表示として車両乗員に視認される。
【００２６】
実施例１の車両メータ装置１において、導光体８をケース３に取り付ける際には、導光体８をケース３の導光体収容部３１に挿入するとともに、導光体８の位置決めピン８３を、ケース３の位置決め孔３５に挿入することにより、ケース３に対する導光体８の位置決めを行う。
そして、導光体８をケース３の導光体収容部３１に挿入する際には、その挿入動作により、導光体８の固定用受け部８４が、ケース３の固定用取付部３６を乗り越えて引っ掛けるように係合する。
【００２７】
このように実施例１において、導光体８には、位置決めピン８３、固定用受け部８４が設けられているが、いずれも、導光体８の基板側の平面において、照明範囲外となる位置で導光体８と接続しているため、外周相似側壁部８２１による湾曲部８２の外周側の反射には影響を与えることがない。これによって、位置決めピン８３による作業性及び取付精度を十分に得る位置決め作用と、固定用受け部８４による容易な取付作業性を十分に得る固定作用を得つつ、導光体８の内部を導光する光を効率高く湾曲部８２に沿って導光する。よって、導光体８の内部における光の利用効率を高める。
【００２８】
実施例１の作用を明確にするために、以下に説明を加える。
図７は導光体の平面説明図である。図８は導光体の一部拡大斜視説明図である。図９は図７及び図８の導光体の導光状態の説明図である。
なお、説明上、一部の符号は実施例１と同じ符号を付し説明する。
図７、図８に示す導光体８では、導光体８の湾曲部８２の中央の外周部分を外周方向に張り出させた張出部１１を設けている。そして、この張出部１１から基板側へ突出させた位置決めピン１１１を設け、この張出部１１を基端とする固定用受け部１１２を設けている。位置決めピン１１１と固定用受け部１１２は位置をずらして設けられる。なお、張出部１１の外周側の側壁は、固定用受け部１１２の位置がやや内側となる平面形状で、その左右がやや外側位置で平面形状となっている。この左右に配置される張出部１１の側壁を側壁１１３とする。
【００２９】
このように、導光体８に位置決めピン１１１及び固定用受け部１１２を設けるには、図７、図８に示すように外周方向へ張り出した張出部１１を設け、これを基端とするように位置決めピン１１１と固定用受け部１１２を設けることが考えられる。
しかしながら、図９に符号１０２で示す光の経路のように、張出部１１の側壁１１３においては、導光体８の内部の光が内部反射せずに外部へ透過する光となり、導光体８の内部における光の利用効率が低下してしまう。
【００３０】
図１０は導光体の一部拡大平面図である。
図１０に示す構成では、導光体８の湾曲部８２に外周方向に張り出した張出部１２を設け、この張出部１２を基端として位置決めピン１２１を設けている。
このように、導光体８に位置決めピン１２１を設けるには、図１０に示すように外周方向に張り出した張出部１２を設け、これを基端とするように位置決めピン１２１を設けることが考えられる。しかしながら、図１０に符号１０３で示す光の経路のように、張出部１２の側壁１２２の反射により、側壁１２３からと導光体の外部へ透過する光となり、導光体８の内部における光の利用効率が低下してしまう。
【００３１】
これに対して実施例１では、湾曲部８２の湾曲した形状を維持するように外周方向へ導光体８を膨らせて外周相似側壁部８２１を形成している。これにより照明範囲外となる部分を形成し、この部分を基端とするように位置決めピン８３及び固定用受け部８４を設けている。そのため、照明範囲外の部分での外周相似側壁部８２１は、端部８１から湾曲部８２の湾曲形状に沿って光を導光する内部反射を良好に行う周回方向に立設した側壁面を形成する。そのため、側壁１１３のように外部へ出光させてしまうことなく、湾曲部８２の湾曲形状に沿って光を導光するため、光の利用効率が向上する点が有利である。
【００３２】
効果を説明する。
実施例１の照明装置にあっては、下記に列挙する効果を得ることができる。
【００３３】
(1)前面から光を放出して前方へ面状の照明を行う車両メータ装置１の照明装置において、両端の間を略周回方向に湾曲させた平面形状に設けられ、両端の端部８１から導入した光を湾曲部８２の内外周の側壁で略周回方向に導光して、全体が一様に光を放出する導光体８と、導光体８の両端の端部８１へ向かって光を発する光源７を有し、導光体８は、湾曲部８２の外周の側壁の一部又は全部を、前方への面状の照明範囲外となる外周方向に移動させた相似形状で形成した外周相似側壁部８２１を備えたため、位置決めピン８３及び固定用受け部８４を設けることができる照明範囲外の部分を形成し、位置決めピン８３及び固定用受け部８４を設けても湾曲した導光を行うための内部反射に影響がないようにして、導光体の内部での光の利用効率を向上させることができる。
【００３４】
(2)上記(1)において、外周相似側壁部８２１は、導光体８の湾曲部８２で、両端の端部８１に近い側から徐々に外周方向に膨らむ湾曲形状に沿って連続した配置の側壁部分を形成したため、湾曲し、連続した帯状の側壁部分によって、湾曲部８２の湾曲形状に沿った内部での導光を良好に行い、側壁の一部から側方外部へ光が出光することを十分に抑制して、導光体の内部での光の利用効率を向上させることができる。
【００３５】
(5)上記(1)又は(2)において、導光体８は、後面で且つ外周相似側壁部８２１の近傍の照明範囲外の部分に設けられた、車両メータ装置１の導光体収容部３１への取付用の位置決めピン８３を備えたため、湾曲部８２の内部での導光のための反射に影響させることなく、導光体８と一体でコストを抑制して設けた位置決めピン８３によりケース３への取り付けのための位置決めを行うことができる。
【００３６】
(6)上記(1)〜(3)において、導光体８は、後面で且つ外周相似側壁部８２１の近傍の照明範囲外の部分に設けられた、車両メータ装置１の導光体収容部３１への固定用の固定用受け部８４を備えたため、湾曲部８２の内部での導光のための反射に影響させることなく、導光体８と一体でコストを抑制して設けた固定用受け部８４によりケース３への固定のための係合を行うことができる。
【実施例２】
【００３７】
実施例２は、導光体に外周方向に張り出した張出部を設け、張出部の外周面に外周相似側壁部を設けた例である。
構成を説明する。
図１１は実施例２の車両メータ装置の導光体の平面説明図である。図１２は図１１の一部拡大底面説明図である。図１３は実施例２の車両メータ装置の導光体の一部拡大斜視説明図である。
実施例２の導光体８では、湾曲部８５の外周が照明範囲の再外周部分を形成するようにし、湾曲部８５の中央の一部の外周側壁を外周方向に張り出した張出部８６を設ける。張出部８６は、照明範囲外に張り出した構成にする。
なお、張出部８６を設ける湾曲部８５の中央位置は、導光体８の両端の端部８１から湾曲の中間位置であり、言い換えると両側の端部８１からの導光距離は最も遠く、且つ導光距離はほぼ等距離となる位置である。
【００３８】
張出部８６の中央は、左右に対して基板側に近づくよう段差を設け、これを固定用受け部８６１としている。言い換えると、固定用受け部８６１は張出部８６の左右よりも基板側に近い位置で平面を形成し、その左右に張出部８６による壁面が形成される構成である。
この固定用受け部８６１は、ケース３の固定用取付部３６と係合して、導光体８をケース３へ固定する部分である。
【００３９】
張出部８６の固定用受け部８６１から左右にずれた位置には、位置決めピン８６２を設ける。位置決めピン８６２は、張出部８６の基板側の面から基板４に向かって立設させたものである。
張出部８６の外周側の形状は、湾曲部８５の湾曲を外周方向に移動させた位置で相似した形状にする。これにより張出部８６の外周側壁は、湾曲した形状に沿って形成された部分となる。これを外周相似側壁部８６３とする。
固定用受け部８６１及びその左右の張出部８６の湾曲部８５の外周面との接続部分は、接続面積が非常に小さくなるように絞った形状にする。これを接続部８６４とする。
実施例２の導光体８では、両端の端部８１を掛け渡すように接続し、基板４までピンを立設させた部分を設けている。これを支持部８６５とする。
さらに、張出部８６において、接続部８６４で湾曲部８５と接続しない部分には、内周面が形成される。この内周面の壁面は、湾曲部８５の湾曲を外周方向に移動させた位置で相似した形状にする。これを内周相似側壁部８６６とする。
【００４０】
図１４は実施例２の車両メータ装置のケースの平面説明図である。
実施例２のケース３では、導光体８を収容する導光体収容部３７に導光体８の張出部８６に対応して、収容部を外周方向に拡げた拡大部３８を設ける。そして、この拡大部３８には、位置決め孔３８１と固定用取付部３８２を設ける。
また、導光体収容部３７の端部に近い内周側の壁面には、導光体８の支持部８６５に対応する切欠部３７１を設ける。
その他構成は、実施例１と同様であるので説明を省略する。
【００４１】
作用を説明する。
[導光体の光の利用効率の向上]
図１５は実施例２の車両メータ装置の導光体における導光状態の底面説明図である。
実施例２では、導光体８をケース３に取り付ける際には、導光体８の張出部８６に設けた位置決めピン８６２をケース３の拡大部３８に設けた位置決め孔３８１に係合させる。そして、導光体８の張出部８６に設けた固定用受け部８６１と、ケース３の拡大部３８に設けた固定用取付部３８２を係合させるようにする。
また、支持部８６５は、ケース３の切欠部３７１に挿入するようにし、支持部８６５により、導光体８の端部８１がより安定して支持されるようにする。
【００４２】
実施例２の導光体８では、その湾曲部８５の内部において、図１５に符号１０４で示すように外周面と内周面の交互の反射によって、湾曲形状に沿って導光を行う。実施例２では、導光体８の湾曲部８５の外周を照明範囲に対応させたもの、つまり照明範囲の最外周又はこれに所定の余裕を加えた形状にしている。そして、照明範囲外となる外周側に張出部８６を設けている。
例えば車両メータ装置において、他の種類、あるいは既存の種類との共通化や生産整備側の事情等により、導光体８に張出部８６を設ける要求が高い場合がある。このような場合に実施例２は対応している。
【００４３】
実施例２の導光体８では、張出部８６を設けているが、湾曲形状に導光するための外周壁面との接続部分である接続部８６４の接続面積を小さくすることによって、張出部８６に導光する光量を少なくしている。
さらに、導光体８に設けている張出部８６は、その位置を湾曲の中央としている。導光体８では、湾曲部８５の両側から導光を行う。片側それぞれからの導光に着目すると、湾曲部８５の中央を通過しても導光は継続されるが、両側からの導光に着目すると、光源７から入光する両端から中央に向かって導光されて行くことになるため、中央位置は両側からの導光の最終到達位置と考えることができる。つまり両端から中央まで導光された状態では、十分に全体を面発光させる状態にできることになる。そのため、湾曲部８５の中央位置に張出部８６を設けることにより、一部の光が張出部８６へ導光されることによる影響を小さくして、他の湾曲部８５の外周位置に設けるものより、導光体８の内部での光の利用効率を向上させる。
【００４４】
さらに、張出部８６の外周相似側壁部８６３及び内周相似側壁部８６６は、湾曲部８５の外周壁面と相似した湾曲形状にしているので、張出部８６の内部へ導光された光は、外周相似側壁部８６３と内周相似側壁部８６６との相似形状での交互の反射により、湾曲部８５の内部反射における周回方向への導光状態を保つ光の角度を維持して、導光した接続部８６４より周回方向の先方の接続部８６４から湾曲部８５の内部へ再度導光する。内部反射における周回方向への導光状態を保つ光の角度を維持することにより、再度導光された光は、さらに周回方向の先方へ導光されることになる。
【００４５】
図１５を参照して説明すると、導光体８の湾曲部８５の内部で外周壁面と内周壁面の反射により、例えば符号１０４で示すように光が導光されている。そして、導光されている光の一部が、符号１０５で示すように、張出部８６の接続部８６４から張出部８６へ導光されたとする。すると、その光は、張出部８６の外周相似側壁部８６３で反射され、次に内周相似側壁部８６６で反射される。この反射は、湾曲部８５の湾曲に相似した湾曲面であるため、符号１０４の反射角度と同様の状態が保たれている。そして、例えば、固定用受け部８６１の外周面で反射して、固定用受け部８６１の接続部８６４から湾曲部８５の内部へ再度導光される。すると、この再度導光された光（符号１０５）と湾曲部８５を導光されている光（符号１０４）はほぼ同様の角度で進行するため、再度導光された光も導光方向先方への良好に導光される。よって、導光体８の内部での光の利用効率は向上することになる。
なお、固定用受け部８６１の外周面は、湾曲部８５との相似形状ではないが、図１５に示す反射を行えるよう平面を相似形状の位置に配置している。
【００４６】
言い換えて説明する。
実施例２では、導光体８に設ける張出部８６への光抜けを抑制するため、張出部８６を湾曲部８５の周回方向の中央へ位置させ、湾曲部８５と繋がり部分を必要最小にするよう接続部８６４で接続する。そして、湾曲部８５の外周面を構成するラインを外周方向に略オフセットした外周面を張出部８６に設けることにより、接続部８６４で抜けてしまう光を再度湾曲部８５へ導き、照明効率を上げる。
【００４７】
効果を説明する。
実施例２の照明装置にあっては、上記(1),(5),(6)に加えて、以下の効果を有する。
(3)上記(1)において、導光体８は、湾曲部８５の周回方向の途中の一部を外周方向に張り出させた張出部８６を設け、張出部８６の外周側壁を前記外周相似側壁部８６３としたため、湾曲部８５から張出部８６へ導光された光を湾曲部８５での導光状態と大きく変化させることなく、再度湾曲部８５へ導光して、導光体８の内部での光の利用効率を向上させることができる。
【００４８】
(4)上記(3)において、導光体８は、湾曲部８５の外周側壁と外周方向に張り出させた張出部８６との相対する面積より小さい面積で、湾曲部８５の外周側壁と外周方向に張り出させた部分とを接続する接続部８６４を備えたため、湾曲部８５から張出部８６へ導光される部分である接続部８６４の断面積を小さくして、導光を抑制して、張出部８６が設けられることにより、湾曲部８５での導光状態への影響を抑制することができる。
【００４９】
以上、本発明の照明装置を実施例１、実施例２に基づき説明してきたが、具体的な構成については、これらの実施例に限られるものではなく、特許請求の範囲の各請求項に係る発明の要旨を逸脱しない限り、設計の変更や追加等は許容される。
【００５０】
例えば、実施例１、実施例２では、位置決めピンと固定用受け部の両方を導光体に設けたものを示したが、一方のみを設けるものであってもよい。
導光体８の形状については、両端の端部から光源の光を導入し、湾曲部分の左右から導光するものであればよく、湾曲部分から端部までに直線部分を有するものであっても、湾曲部分を端部まで延長したものであっても、湾曲部分から端部までに他の湾曲部分を有するものであってもよい。
【産業上の利用可能性】
【００５１】
本発明は、他の車両装置、特に表示部分を有するもの、あるいは他の移動体の表示部分に利用することができる。
【符号の説明】
【００５２】
１    車両メータ装置
２    文字板
２１    目盛部
２２    目盛数字部
３    ケース
３１    導光体収容部
３１１    貫通部
３２    導光体反射面
３３    支持部
３４    中央部
３４１    貫通穴部
３５    位置決め孔
３６    固定用取付部
３７    導光体収容部
３７１    切欠部
３８    拡大部
３８１    位置決め孔
３８２    固定用取付部
４    基板
５    指針軸
６    指針軸駆動部
７    光源
８    導光体
８１    端部
８２    湾曲部
８２ａ    （照明範囲を示す）ライン
８２１    外周相似側壁部
８３    位置決めピン
８４    固定用受け部
８５    湾曲部
８６    張出部
８６１    固定用受け部
８６２    位置決めピン
８６３    外周相似側壁部
８６４    接続部
８６５    支持部
８６６    内周相似側壁部
９    指針
１１    張出部
１１１    位置決めピン
１１２    固定用受け部
１１３    側壁
１２    張出部
１２１    位置決めピン
１２２    側壁
１２３    側壁
【図１】
2010182595.tif 000003
【図２】
2010182595.tif 000004
【図３】
2010182595.tif 000005
【図４】
2010182595.tif 000006
【図５】
2010182595.tif 000007
【図６】
2010182595.tif 000008
【図７】
2010182595.tif 000009
【図８】
2010182595.tif 000010
【図９】
2010182595.tif 000011
【図１０】
2010182595.tif 000012
【図１１】
2010182595.tif 000013
【図１２】
2010182595.tif 000014
【図１３】
2010182595.tif 000015
【図１４】
2010182595.tif 000016
【図１５】
2010182595.tif 000017